(57)【要約】【課題】常に適量のマスカラ液をブリッスルに保持しながら、マスカラ液の１回あたりの塗布総量を増加して、まつ毛の化粧をより少ない手間で効果的に行える化粧ブラシを提供する。併せてブラシ本体の構造強度を向上する。【解決手段】金属素線３・３を捻り合わせて形成される芯線４と、金属素線３・３の間に挟持されて螺旋状に連続する一群のブリッスル５とでブラシ本体１を構成する。芯線４を二つ折りにして、ブラシ本体１の突端とホルダー２との間に２個の化粧液含浸部１６を形成する。隣接する芯線４によって、ブラシ本体１の構造強度を向上できる。【選択図】図１
0003123183.tif 000002
【実用新案登録請求の範囲】
【請求項１】
ブラシ本体（１）と、ブラシ本体（１）を支持するホルダー（２）とを備えており、
ブラシ本体（１）は、金属素線（３・３）を捻り合わせて形成される芯線（４）と、金属素線（３・３）の間に挟持されて螺旋状に連続する一群のブリッスル（５）とを含み、
芯線（４）をその中途部で折り返すことにより、ブラシ本体（１）の突端とホルダー（２）との間に複数個の化粧液含浸部（１６）が形成してあることを特徴とする化粧ブラシ。
【請求項２】
芯線（４）を二つ折りにして、ブラシ本体（１）に２個の化粧液含浸部（１６）が形成されており、
隣接する化粧液含浸部（１６）の芯線（４）の間に隙間（Ｅ）が形成されており、隙間（Ｅ）および隙間（Ｅ）に臨むブリッスル（５）に化粧液を含浸できる請求項１記載の化粧ブラシ。
【請求項３】
化粧液含浸部（１６）の隣接周面におけるブリッスル（５）を切除して、隣接する化粧液含浸部（１６）の芯線（４）どうしが接合してある請求項１または２記載の化粧ブラシ。
【請求項４】
二つ折りにされる前の、直線状の芯線（４）を備えたブラシ部品（１５）におけるブリッスル（５）の外郭線が紡錘形に整形されており、
二つ折りにした状態におけるブラシ本体（１）の遊端に、長寸のブリッスル（５）群からなる塗布部（１９）が形成してある請求項２または３記載の化粧ブラシ。
【請求項５】
化粧液含浸部（１６）における芯線（４）の間に含浸空間（Ｓ）が形成してある請求項２または４記載の化粧ブラシ。
【考案の詳細な説明】
【技術分野】
【０００１】
本考案は、マスカラ液等の化粧液を塗布するための化粧ブラシに関する。
【背景技術】
【０００２】
この種の化粧ブラシの基本形態は特許文献１に公知である。そこでは、二つ折りした芯線の間に一群のブリッスルを挟み込み、芯線を一方向へ捻ることにより、芯線の周りに螺旋状のブラシ部を形成している。ブラシ部の周囲を砥石で研削整形することにより、所望形状の化粧ブラシを得ることができる。
【０００３】
本考案に関して、ブラシの突端部分にマスカラ液を含ませるためのブラシ部を設けることは特許文献２に公知である。そこでは、螺旋状の捻りブラシ部と、芯線の先端に形成される植毛ブラシ部とでブラシを構成して、各ブラシ部にマスカラ液を含ませるようにしている。植毛ブラシ部は、短かなブラシ毛を静電植毛して形成してあり、目頭付近のまつ毛にマスカラ液を塗付する際に使用する。
【０００４】
【特許文献１】特許第３５４３００２号公報（段落番号００３５、図５）
【特許文献２】特開２００２−１７２０１９号公報（段落番号００１０、図１）
【考案の開示】
【考案が解決しようとする課題】
【０００５】
マスカラ液を塗布するための化粧ブラシは、余分なマスカラ液を容器の口に設けた掻落し具でこそぎ落し、ブリッスルの間に残ったマスカラ液をまつ毛に塗布する。しかし、余分なマスカラ液をこそぎ落す際には、ブリッスルの間に保持されたマスカラ液も同時にこそぎ落されるので、化粧ブラシで塗布できる１回あたりのマスカラ液の量はごく少量でしかない。そのため、まつ毛全体にマスカラ液を塗付するには、化粧ブラシを繰り返し容器内に差し込んでマスカラ液を含ませる必要があり、まつ毛の化粧に多くの手間と時間が掛かる。掻落し具によるこそぎ落し量を減らすと、化粧ブラシに含まれるマスカラ液の量を増やせるが、まつ毛の間に塗液塊が形成されるなど、まつ毛を美しく梳き分けることが困難となり、端正な仕上がり状態が得られにくくなる。
【０００６】
従来の化粧ブラシの芯線は、直径が0.４mmから１mm未満の細い金属線を一方向へ捻って形成してあり、ある程度の曲げ強度を備えている。しかし、捻られた芯線の剛性が充分とは言えず、例えば、マスカラ液を含ませるためにブラシ部を容器に差し込む際に、芯線の突端を誤って容器の表面に突当ててしまような場合などに、芯線がく字状に折れ曲がってしまう。折れ曲がった部分を伸ばして元の状態に戻すことはできなくはないが、マスカラ液の塗布を簡便化するために芯線が湾曲させてあるブラシの場合には、元の状態に戻すことは極めて難しい。
【０００７】
直径寸法が大きな金属線材を使用して芯線を形成すると、その曲げ強度を大きくできる。しかし、その場合には、金属線径が大きくなる分だけ、芯線の捻りピッチ、即ちブラシ部の螺旋ピッチが大きくなるのを避けられない。このことは、ブリッスルの巻き込み本数を一定とするときの、芯線の軸芯方向におけるブリッスルの配置密度が小さくなり、ブリッスルが疎らな状態で螺旋状に連続することを意味する。そのため、ブリッスルで保持されるマスカラ液の量が減少するのを避けられず、まつ毛の化粧にさらに多くの手間と時間が掛かる。
【０００８】
本考案の目的は、常に適量の化粧液をブリッスルに保持できるにもかかわらず、化粧液の１回あたりの塗布総量を増加でき、したがってまつ毛などの化粧をより少ない手間で効果的に行える化粧ブラシを提供することにある。本考案の目的は、ブラシ本体の構造強度を向上しながら、ブリッスルの配置密度を必要充分に確保でき、しかもブリッスルに含まれる化粧液の総量を増加して、まつ毛などの化粧をより少ない手間で効果的に行える化粧ブラシを提供することにある。
【課題を解決するための手段】
【０００９】
本考案の化粧ブラシは、ブラシ本体１と、ブラシ本体１を支持するホルダー２とを備えている。ブラシ本体１は、金属素線３・３を捻り合わせて形成される芯線４と、金属素線３・３の間に挟持されて螺旋状に連続する一群のブリッスル５とを含む。芯線４をその中途部で折り返すことにより、ブラシ本体１の突端とホルダー２との間に複数個の化粧液含浸部１６が形成してあることを特徴とする。
【００１０】
芯線４を二つ折りにして、ブラシ本体１に２個の化粧液含浸部１６を形成する。隣接する化粧液含浸部１６の芯線４の間に隙間Ｅを形成する。以て、隙間Ｅおよび隙間Ｅに臨むブリッスル５に化粧液を含浸できるようにする。
【００１１】
化粧液含浸部１６の隣接周面におけるブリッスル５を切除して、隣接する化粧液含浸部１６の芯線４どうしを接合する。
【００１２】
二つ折りにされる前の、直線状の芯線４を備えたブラシ部品１５におけるブリッスル５の外郭線を紡錘形に整形し、二つ折りにした状態におけるブラシ本体１の遊端に、長寸のブリッスル５群からなる塗布部１９を形成する。
【００１３】
化粧液含浸部１６における芯線４の間に含浸空間Ｓを形成する。
【考案の効果】
【００１４】
本考案の化粧ブラシは、ブラシ本体１を構成する芯線４をその中途部で折り返すことにより、ブラシ本体１の突端とホルダー２との間に複数個の化粧液含浸部１６を形成し、各化粧液含浸部１６の周面に位置するブリッスル５によって化粧液を塗布できるようにするので、常に適量の化粧液をブリッスル５に保持できるにもかかわらず、化粧液の１回あたりの塗布総量を、化粧液含浸部１６の数が増えた分だけ増加でき、したがって従来のこの種の化粧ブラシに比べて、まつ毛や眉毛の化粧をより少ない手間で効果的に行うことができる。
【００１５】
ブラシ本体１に作用する外力を、各化粧液含浸部１６の芯線４が協同して受け止めるので、化粧液含浸部１６が増えた分だけブラシ本体１の構造強度を向上でき、例えば、ブラシ本体１の突端を誤って化粧液容器の表面に突当ててしまうような場合に、ブラシ本体１が折れ曲がるのを良く防止できる。
【００１６】
隣接する化粧液含浸部１６の芯線４の間に、隙間Ｅが形成されるように芯線４を二つ折りにした化粧ブラシによれば、隙間Ｅおよび隙間Ｅに臨むブリッスル５のそれぞれに化粧液を含浸保持し、保持された化粧液を毛管現象によって周辺のブリッスル５に供給することができるので、一回あたりの化粧液の塗布総量をさらに向上して、まつ毛や眉毛の化粧をさらに少ない手間で効果的に行うことができる。
【００１７】
化粧液含浸部１６の隣接周面におけるブリッスル５を切除して、隣接する化粧液含浸部１６の芯線４どうしを接合した化粧ブラシによれば、一回あたりの化粧液の塗布総量は減少するものの、隣接する芯線４の協同作用によって外力に対抗できるので、芯線４の間に隙間Ｅが設けてある場合に比べて、ブラシ本体１の構造強度をさらに向上でき、とくに、芯線４の隣接方向に外力が作用する時の曲げ応力を大きくできる。
【００１８】
ブリッスル５の外郭線を紡錘形に整形し、二つ折りにした状態におけるブラシ本体１の遊端に長寸のブリッスル５群からなる塗布部１９を形成した化粧ブラシは、塗布部１９にマスカラ液を確実に含ませることができるので、目頭近傍のまつ毛に対するマスカラ液の塗布を確実に、しかも効果的に行うことができる。
【００１９】
化粧液含浸部１６における芯線４の間に含浸空間Ｓが形成してある化粧ブラシによれば、含浸空間Ｓ、および含浸空間Ｓに臨むブリッスル５のそれぞれに化粧液を含浸保持でき、保持された化粧液を毛管現象によって周辺のブリッスル５に供給することができるので、一回あたりの化粧液の塗布総量をさらに向上して、まつ毛や眉毛の化粧をさらに少ない手間で効果的に行うことができる。
【考案を実施するための最良の形態】
【００２０】
（実施例）  図１ないし図３は本考案に係る化粧ブラシの実施例を示す。図２において化粧ブラシは、ブラシ本体１と、ブラシ本体１を支持するホルダー２とからなる。ブラシ本体１は、ステンレス線材（金属素線）３を捻り合わせて形成される芯線４と、ステンレス線材（以下単に線材という）３の間に挟持されて螺旋状に連続する一群のブリッスル（ブラシ要素）５とで構成してある。
【００２１】
ホルダー２は、つまみ部７と、つまみ部７の下端に突設される上下に長い軸部８とを一体に形成したプラスチック成形品からなる。軸部８の突端には、ブラシ本体１を連結固定するための装着穴９が形成してある。符号１０はマスカラ液（化粧液）を収容する容器、符号１１は容器１０の上部開口を閉じるキャップであり、先のつまみ部７をキャップ１１内に差し込み固定することにより、化粧ブラシがキャップ１１と一体化してある。図示していないが容器１０の開口部分には、ブラシ本体１に含まれた余分なマスカラ液をこそぎ落すための掻落し具が組み付けてある。
【００２２】
ブリッスル５は、獣毛、あるいは化学繊維を適用でき、例えば、ポリブチレンテレフタレート繊維やナイロン繊維を所定長さに切断して形成できる。必要があれば、両端にテーパリング加工を施した繊維を適用できる。例えば、所定長さに切断した化学繊維の端部を、硫酸や苛性ソーダなどの侵食性薬品に浸漬して先すぼまり状に溶融させ、溶融部分を中和し、水洗し、乾燥してブリッスル５を形成することができる。
【００２３】
ブラシ本体１は、図３に示す手順で形成する。図３（ａ）に示すように、隣接配置した線材３・３の間に一群のブリッスル５を一定の向きで矩形列状に配置する。このとき、両線材３・３の両端に設けられる固定部１４の間に限ってブリッスル５を配置する。固定部１４は捻り合わされた線材３・３のみで形成される。
【００２４】
上記のように一群のブリッスル５が挟み込まれた両線材３・３を一方向へ捻ることにより、芯線４の周りに螺旋状に連続するブリッスル５からなるブラシ列を形成する。これにより図３（ｂ）に示すように直線状の芯線４を備えたブラシ部品１５を形成できる。得られたブラシ部品１５のブリッスル５の周面を回転する砥石で切除して丸棒状に整形する。
【００２５】
最後に、図３（ｃ）に示すように、芯線４の中央部分を二つ折りにしてブラシ本体１を完成する。このとき、二つ折りにした芯線４の間に隙間Ｅが形成されるようにブラシ部品１５を折り曲げる。隙間Ｅの寸法は、ブラシ部品１５の折り返し部分で最も大きく、ホルダー２に近づくに従って漸減するように形成する。隙間Ｅにおいては、各芯線４・４に固定されたブリッスル５・５が絡みあうようにして重なりあう。得られたブラシ本体１は、図１に示すように、隣接する固定部１４・１４を軸部８の装着穴９に差し込んで熱溶着することによりホルダー２と一体化される。
【００２６】
図１に示すように、芯線４を二つ折りにすることにより、ブラシ本体１の突端とホルダー２との間に、マスカラ液を含ませるための２個の化粧液含浸部１６が形成される。ブラシ本体１を容器１０内のマスカラ液に浸漬した状態においては、化粧液含浸部１６の表面全体にマスカラ液が付着している。しかし、化粧液含浸部１６が容器１０に設けた掻落し具を通り抜ける間に、余分なマスカラ液がこそぎ落されるので、適量のマスカラ液のみを各化粧液含浸部１６のブリッスル５に保持させることができる。
【００２７】
以上のように構成した化粧ブラシによれば、片方の化粧液含浸部１６に含まれたマスカラ液をブリッスル５でまつ毛に塗布したのち、他方の化粧液含浸部１６に含まれたマスカラ液を同様にしてブリッスル５でまつ毛に塗布できる。なお、各化粧液含浸部１６においては、概ね各芯線４の外側半周面に位置するブリッスル５がマスカラ液の塗布に寄与し、残る内側半周面（隙間Ｅに臨む側）に位置するブリッスル５はマスカラ液を保持する。
【００２８】
芯線４・４の間の隙間Ｅで重なりあうブリッスル５にもマスカラ液が含まれており、この部分のマスカラ液は、掻落し具を通り抜けるときでもこそぎ落とされることはない。そのため、隙間Ｅに保持されたマスカラ液と、芯線４の内側半周面のブリッスル５に保持されたマスカラ液とを、毛管現象によって外側半周面に位置するブリッスル５に供給することができる。
【００２９】
したがって、常に適量のマスカラ液をブリッスル５に保持できるにもかかわらず、マスカラ液の１回あたりの塗布総量を増加して、その分だけまつ毛の化粧をより少ない手間で効果的に行える。マスカラ液は、ブラシ本体１の中途部ないし先端寄りに位置するブリッスル５によって塗布することが多いが、隙間Ｅがホルダー２の側へ向かって先すぼまり状に形成してあるので、塗布量が多い部分に対応してマスカラ液を保持し、補充供給できる利点もある。
【００３０】
直線状の芯線４を備えたブラシ部品１５を二つ折りにしてブラシ本体１を形成するので、従来の化粧ブラシに比べて、ブラシ本体１における芯線４・４の構造強度を大幅に向上できる。これによりブラシ本体１の突端を誤って容器１０の表面に突当て、あるいは、誤って化粧ブラシを取り落とすようなことがあっても、芯線４が折れ曲がるのを防止できる。線材３の直径寸法を大きくする必要もなく、ブラシ本体１における芯線４・４の強度を高めることができるので、芯線４の捻りピッチが大きくなるのを避けながら、ブリッスル５の配置密度を必要充分に確保できる利点もある。
【００３１】
図４および図５は、ブラシ本体１の別の実施例を示す。そこでは、上記と同様にしてブラシ部品１５を形成した後、図４に示すようにその周面一側に突出するブリッスル５を切除して、切除面１７どうしが接合する状態でブラシ部品１５を二つ折りにしてブラシ本体１を形成する。得られたブラシ本体１は、図５に示すように、隣接する化粧液含浸部１６・１６の芯線４・４どうしが密着接合する。そのため、両芯線４・４の間に保持できるマスカラ液の量はごく少量にすぎない。この化粧ブラシは、粘度が低いマスカラ液を塗布するのに適している。他は先の実施例と同じであるので、同じ部材に同じ符号を付してその説明を省略する。以下の実施例においても同様に扱う。
【００３２】
図６および図７はブラシ本体１のさらに別の実施例を示す。そこでは、図６に示すようにブリッスル５の外郭線を紡錘形に整形してブラシ部品１５を構成し、図７に示すように二つ折りにしたブラシ本体１の遊端に、長寸のブリッスル５群からなる塗布部１９が形成されるようにした。図１に示すように、ブリッスル５の外郭線が丸棒状に整形してあるブラシ部品１５の場合には、ブラシ本体１の遊端の折り曲げ部分におけるブリッスル５の密度が疎らになる。しかし、ブリッスル５の外郭線が紡錘形に整形してあると、塗布部１９を長寸のブリッスル５群で形成できるので、より多くのマスカラ液を塗布部１９に含ませることができる。この化粧ブラシは、塗布部１９に含ませたマスカラ液を目頭に塗布するのに適している。
【００３３】
図８および図９はブラシ本体１のさらに別の実施例を示す。そこでは、図８に示すようにブリッスル５の外郭線を凹曲面状に整形してブラシ部品１５を構成し、図９に示すように二つ折りにしたブラシ本体１の基端に、長寸のブリッスル５群からなる長毛部２０が形成されるようにした。長毛部２０には、他の部分より多くのマスカラ液を塗布部１９に含ませることができる。
【００３４】
図１０はブラシ本体１のさらに別の実施例を示す。そこでは、ブラシ部品１５を二つ折りにする際に、折り曲げ部分を涙滴形に折り曲げて、隣接する化粧液含浸部１６・１６の芯線４・４の間に含浸空間Ｓを形成した。さらに、両化粧液含浸部１６・１６を側面から見て逆へ字状に折り曲げて、化粧液含浸部１６・１６の大半の部分がブラシ本体１の遊端へ向かって上り傾斜するようにした。含浸空間Ｓに臨むブリッスル５には、隙間Ｅと同様にマスカラ液を保持することができる。
【００３５】
図１１はブラシ本体１のさらに別の実施例を示す。そこでは、芯線４の周面にブリッスル２２を静電植毛法によって固定した。具体的には、直線状の芯線４を二つ折りにしたのち、その周面に接着剤を塗布して接着層２３を形成し、高電圧強電界を作用させることによりブリッスル２２を接着層２３に向かって加速衝突させて植毛し、接着層２３を固化させる。ブリッスル２２は、先に説明したブリッスル５と同じ素材で形成する。
【００３６】
上記の実施例以外に、芯線４は、２本の金属素線３で形成する必要はなく、３本以上の金属素線３で形成することができる。その場合には、直径が小さな金属素線３で芯線４を形成するとよい。ブラシ本体１における化粧液含浸部１６・１６は、２以上形成することができる。例えば、直線状の芯線４を折り返した後、固定部１４の近傍でもう一度折り返して、化粧液含浸部１６を３個形成することができる。その場合のブラシ本体１の断面は、芯線４の断面が三角形状に隣接するように折り曲げるとよい。
【００３７】
本考案の化粧ブラシは、マスカラブラシとして使用する以外に、アイブロウブラシや、眉毛に毛染め液を塗布するためのブラシとして使用することができる。含浸空間Ｓは、複数個設けることができる。ブリッスル５・２２として炭素繊維を使用することができる。
【図面の簡単な説明】
【００３８】
【図１】化粧ブラシの正面図である。
【図２】化粧ブラシの使用例を示す正面図である。
【図３】ブラシ本体の製造手順を示す説明図である。
【図４】別の実施例に係るブラシ部品の正面図、および側面図である。
【図５】図４のブラシ部品で形成したブラシ本体の正面図である。
【図６】さらに別の実施例に係るブラシ部品の正面図である。
【図７】図６のブラシ部品で形成したブラシ本体の正面図である。
【図８】さらに別の実施例に係るブラシ部品の正面図である。
【図９】図８のブラシ部品で形成したブラシ本体の正面図である。
【図１０】さらに別の実施例に係るブラシ本体の正面図、および平面図である。
【図１１】さらに別の実施例に係るブラシ本体の断面図である。
【符号の説明】
【００３９】
１  ブラシ本体
２  ホルダー
３  金属素線
４  芯線
５  ブリッスル
１６  化粧品含浸部
【図１】
0003123183.tif 000003
【図２】
0003123183.tif 000004
【図３】
0003123183.tif 000005
【図４】
0003123183.tif 000006
【図５】
0003123183.tif 000007
【図６】
0003123183.tif 000008
【図７】
0003123183.tif 000009
【図８】
0003123183.tif 000010
【図９】
0003123183.tif 000011
【図１０】
0003123183.tif 000012
【図１１】
0003123183.tif 000013